(57)【要約】【課題】  スイッチなどの部品を追加する必要がなく、コストの増大を抑えつつメイン基板やワイヤハーネスの不正な交換を検出し報知できる遊技機を提供する。【解決手段】  電源のオンオフに関係なく監視を行う常時監視部３０を電源部２０５に設ける。常時監視部３０で制御基板１０，２０とワイヤハーネスＷＨ１，ＷＨ３を経由する電流ループＬＯＯＰを監視する。電流が流れなくなったときに制御基板の交換やワイヤハーネスが外されたと判定し、常時監視回路３０の記憶部３０ａにその状態を記憶する。これにより不正行為の判別が可能になる。制御基板又はワイヤハーネスが外されたと判定されたとき、音や光などの人間が感知できるような方法でエラー報知を行ったり、エラー信号を外部へ出力したり、遊技を停止することで不正行為を抑止することができる。【選択図】        図５
2007236498.tif 000002
【特許請求の範囲】
【請求項１】
遊技に係る抽選処理を行うメイン基板と、前記メイン基板からコマンド信号を受けて演出処理を行うサブ基板と、前記メイン基板及び前記サブ基板に電力を供給する電源部と、前記電源部を動作させるための交流電力のオンオフを行う主電源スイッチと、前記メイン基板に電力を供給するための第１ワイヤハーネスと、前記サブ基板に電力を供給するための第２ワイヤハーネスとを備える遊技機において、
前記電源部は、前記交流電力を受けて直流電力を発生する電源装置と、前記電源部から出て前記メイン基板又は前記サブ基板を経由して前記電源部に戻る電流ループを監視し、前記電流ループに電流が流れなくなったとき不正行為と判定する常時監視部とを備えることを特徴とする遊技機。
【請求項２】
前記電流ループは、前記常時監視部から出て前記第１ワイヤハーネスと前記メイン基板を経由して再び前記第１ワイヤハーネスを通って前記常時監視部に戻るか、又は、
前記電流ループは、前記常時監視部から出て前記第２ワイヤハーネスと前記サブ基板を経由して再び前記第２ワイヤハーネスを通って前記常時監視部に戻る、ものであることを特徴とする請求項１記載の遊技機。
【請求項３】
前記メイン基板と前記サブ基板を接続する第３ワイヤハーネスを備え、
前記電流ループは、前記常時監視部から出て、前記第１ワイヤハーネス、前記メイン基板及び前記第３ワイヤハーネスを通って前記サブ基板に到達し、前記サブ基板を経由して再び前記第３ワイヤハーネス、前記メイン基板及び前記第１ワイヤハーネスを通って前記常時監視部に戻るか、又は、
前記電流ループは、前記常時監視部から出て、前記第２ワイヤハーネス、前記サブ基板及び前記第３ワイヤハーネスを通って前記メイン基板に到達し、前記メイン基板を経由して再び前記第３ワイヤハーネス、前記サブ基板及び前記第２ワイヤハーネスを通って前記常時監視部に戻る、ものであることを特徴とする請求項１記載の遊技機。
【請求項４】
前記常時監視部により不正行為と判定されたときに、前記交流電力の供給線を通じてエラー信号を外部へ送る電力線搬送通信装置を備えることを特徴とする請求項１乃至請求項３いずれかに記載の遊技機。
【請求項５】
前記常時監視部は、不正行為と判定したときに、前記電源装置の直流電力の発生を停止させることを特徴とする請求項１乃至請求項４いずれかに記載の遊技機。
【請求項６】
前記常時監視部は、前記主電源スイッチ又は前記交流電力を監視し、前記主電源スイッチがオフになったとき、又は、前記交流電力の電圧が低下したとき、不正行為と判定することを特徴とする請求項１乃至請求項５いずれかに記載の遊技機。
【請求項７】
遊技に係る抽選処理を行うメイン基板と、前記メイン基板からコマンド信号を受けて演出処理を行うサブ基板と、前記メイン基板及び前記サブ基板に電力を供給する電源部と、前記電源部を動作させるための交流電力のオンオフを行う主電源スイッチと、前記メイン基板に電力を供給するための第１ワイヤハーネスと、前記サブ基板に電力を供給するための第２ワイヤハーネスとを備える遊技機において不正行為を検知する方法であって、
前記電源部から出て前記メイン基板又は前記サブ基板を経由して前記電源部に戻る電流ループに電流を流すステップと、
前記電流ループに流れる電流を監視するステップと、
前記電流ループに電流が流れなくなったとき不正行為と判定するステップとを備える遊技機における不正行為の検知方法。
【請求項８】
遊技に係る抽選処理を行うメイン基板と、前記メイン基板からコマンド信号を受けて演出処理を行うサブ基板と、前記メイン基板及び前記サブ基板に電力を供給する電源部と、前記電源部を動作させるための交流電力のオンオフを行う主電源スイッチと、前記メイン基板に電力を供給するための第１ワイヤハーネスと、前記サブ基板に電力を供給するための第２ワイヤハーネスとを備える遊技機において不正行為を検知する方法をコンピュータに実行させるためのプログラムであって、
前記電源部から出て前記メイン基板又は前記サブ基板を経由して前記電源部に戻る電流ループに電流を流すステップと、
前記電流ループに流れる電流を監視するステップと、
前記電流ループに電流が流れなくなったとき不正行為と判定するステップと、を実行させるプログラム。
【発明の詳細な説明】
【技術分野】
【０００１】
この発明は、スロットマシンなどの遊技機及び遊技機における不正行為の検知方法並びに当該方法をコンピュータに実行させるためのプログラムに関し、特に、メイン基板やワイヤハーネスの不正な交換を防止するための技術に関する。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その筐体内部に、遊技媒体の供給に基づいて作動させるランプ装置や音声発生装置などの様々な各種駆動装置及びこれら駆動装置を制御させるために対応させた制御回路装置を備えており、遊技者が遊技を行う際にこれらを適宜作動させることによって遊技を興趣に溢れたものとしている。また、近年では、所定の識別情報（図柄）を変動表示し得るリール表示装置または液晶画像表示装置等の図柄可変表示装置を内蔵し、所定条件を満たしたときに識別情報を変動させた後に停止表示させるように図柄可変表示装置を作動させるものが主流となっている。これらの装置は制御回路装置によって制御されている。
【０００３】
最近の遊技機の内部に配設されている制御回路装置は、基板上に設けられたＣＰＵ（ｃｅｎｔｒａｌ ｐｒｏｃｅｓｓｉｎｇ ｕｎｉｔ）が、制御プログラムに従って電子制御を行うものが一般的である。制御プログラムは、マスクＲＯＭ（ｒｅａｄ ｏｎｌｙ ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
遊技機に対する不正行為が大きな問題になっている。不正行為にはさまざまなものがある。ＲＯＭを交換したり、それが搭載された制御基板そのものを交換することのほか、複数の基板を結ぶワイヤハーネス（a wire harness：組み電線。電線やケーブルを結束したもの。以下、単に「ハーネス」と記すことがある）に不正な電子部品を取り付けるといったやり方がある。後者の場合、予め不正な電子部品を搭載したコネクタやハーネスを正規のものと交換しているようである。不正な電子部品は、正規な電子部品と比較して遊技が有利になるような不正な処理を行うものである。
【０００５】
遊技場に設置される遊技機は、制御プログラムが不正に改変されないよう管理されており、制御基板（メイン基板）を収納ケースに収納し、その収納ケースを、本体枠の所定部材に組み付けるなどして、制御基板及び制御プログラムを記憶するＲＯＭが不正に交換されないように配慮がなされている。さらに、ＲＯＭには封印シールが貼付されるなどして、装着されている基板上から容易に外すことができないようになっている。
【０００６】
しかしながら、上記のように制御基板をケースに収納したり、ＲＯＭに封印シールを貼付するようにしても、制御基板やＲＯＭの不正な交換は後を絶たない。
【０００７】
【特許文献１】特開２００４−３５８０７６号公報  この公報は、制御プログラムの不正な改変を確実に防止することを目的とし、メイン基板を収納するカバーの開放を検出する検出手段（スイッチ）を設け、カバーの開放を検出したときその旨を報知することを開示する。
【発明の開示】
【発明が解決しようとする課題】
【０００８】
特許文献１では、カバーの開放を検出し報知するために、当該カバーにスイッチを備えていた。メイン基板の交換の前に必ずカバーを開ける必要があることから、特許文献１によれば、当該スイッチの出力に基づきメイン基板の交換を確実に検知できるものの、当該スイッチを設けるためにコストが増大するという問題があった。
【０００９】
この発明は上記課題を解決することを目的になされたもので、スイッチなどの部品を追加する必要がなく、コストの増大を抑えつつメイン基板やワイヤハーネスの不正な交換を検出し報知できる遊技機及び遊技機における不正行為の検知方法並びにプログラムを提供することを目的とする。
【課題を解決するための手段】
【００１０】
この発明は、遊技に係る抽選処理を行うメイン基板と、前記メイン基板からコマンド信号を受けて演出処理を行うサブ基板と、前記メイン基板及び前記サブ基板に電力を供給する電源部と、前記電源部を動作させるための交流電力のオンオフを行う主電源スイッチと、前記メイン基板に電力を供給するための第１ワイヤハーネスと、前記サブ基板に電力を供給するための第２ワイヤハーネスとを備える遊技機において、
前記電源部は、前記交流電力を受けて直流電力を発生する電源装置と、前記電源部から出て前記メイン基板又は前記サブ基板を経由して前記電源部に戻る電流ループを監視し、前記電流ループに電流が流れなくなったとき不正行為と判定する常時監視部とを備えるものである。
【００１１】
前記電流ループは、前記常時監視部から出て前記第１ワイヤハーネスと前記メイン基板を経由して再び前記第１ワイヤハーネスを通って前記常時監視部に戻るか、又は、
前記電流ループは、前記常時監視部から出て前記第２ワイヤハーネスと前記サブ基板を経由して再び前記第２ワイヤハーネスを通って前記常時監視部に戻る、ものである。
【００１２】
前記メイン基板と前記サブ基板を接続する第３ワイヤハーネスを備え、
前記電流ループは、前記常時監視部から出て、前記第１ワイヤハーネス、前記メイン基板及び前記第３ワイヤハーネスを通って前記サブ基板に到達し、前記サブ基板を経由して再び前記第３ワイヤハーネス、前記メイン基板及び前記第１ワイヤハーネスを通って前記常時監視部に戻るか、又は、
前記電流ループは、前記常時監視部から出て、前記第２ワイヤハーネス、前記サブ基板及び前記第３ワイヤハーネスを通って前記メイン基板に到達し、前記メイン基板を経由して再び前記第３ワイヤハーネス、前記サブ基板及び前記第２ワイヤハーネスを通って前記常時監視部に戻る、ものである。
【００１３】
前記常時監視部により不正行為と判定されたときに、前記交流電力の供給線を通じてエラー信号を外部へ送る電力線搬送通信装置を備えるようにしてもよい。
【００１４】
前記常時監視部は、不正行為と判定したときに、前記電源装置の直流電力の発生を停止させるようにしてもよい。
【００１５】
前記常時監視部は、前記主電源スイッチ又は前記交流電力を監視し、前記主電源スイッチがオフになったとき、又は、前記交流電力の電圧が低下したとき、不正行為と判定するようにしてもよい。
【００１６】
この発明は、遊技に係る抽選処理を行うメイン基板と、前記メイン基板からコマンド信号を受けて演出処理を行うサブ基板と、前記メイン基板及び前記サブ基板に電力を供給する電源部と、前記電源部を動作させるための交流電力のオンオフを行う主電源スイッチと、前記メイン基板に電力を供給するための第１ワイヤハーネスと、前記サブ基板に電力を供給するための第２ワイヤハーネスとを備える遊技機において不正行為を検知する方法であって、
前記電源部から出て前記メイン基板又は前記サブ基板を経由して前記電源部に戻る電流ループに電流を流すステップと、
前記電流ループに流れる電流を監視するステップと、
前記電流ループに電流が流れなくなったとき不正行為と判定するステップとを備えるものである。
【００１７】
この発明は、上記方法をコンピュータに実行させるためのプログラムである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１８】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００１９】
本発明によれば、電源のオンオフに関係なく監視を行う常時監視部を電源部に設け、当該常時監視部で制御基板とワイヤハーネスを経由する電流ループを監視することにより、前記制御基板の交換や前記ワイヤハーネスが外されたことを検知し、常時監視回路にその状態を記憶することで不正行為の判別が可能になる。制御基板又はワイヤハーネスが外されたと判定されたとき、音や光などの人間が感知できるような方法でエラー報知を行ったり、エラー信号を外部へ出力したり、遊技を停止することで不正行為を抑止することができる。
【発明を実施するための最良の形態】
【００２０】
発明の実施の形態１．
この発明の実施の形態に係る遊技機（スロットマシン）について図面を参照して説明する。
【００２１】
図１は前扉を閉めた状態を示すスロットマシンの正面図、図２は前扉を１８０度開いた状態を示すスロットマシンの正面図を示す。
【００２２】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右側下方に、遊技者がメダルを投入するためのメダル投入口１３２を設け、メダル投入口１３２のさらに下側には、メダル投入口１３２から投入され、詰まってしまったメダルをスロットマシン１００外に強制的に排出するためのリジェクトボタン１３３が設けられている。
【００２３】
また、前記ゲーム表示部１３１の左側下方には、ゲームを開始するためのスタートスイッチ１３４を設けてあり、３つのリールのそれぞれに対応して３つのストップスイッチ１４０を設けてある。前扉の下端部中央には、メダルの払出し口１３５を設けてある。
【００２４】
スロットマシン本体１２０の内部には、図２に示すように、その内底面に固定され、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ゲーム表示部１３１を通して遊技者が前記リールユニット２０３の各回転リールの図柄を見ることができるようになっている。ホッパ装置１２１の上側のリールユニット２０３との間には電源部２０５が設けられている。
【００２５】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金等で作製された不正メダルを選別して排除するとともに、１ゲームあたりに投入可能な所定枚数を超えたメダルを選別して排除するための装置である。
【００２６】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２７】
図３は電源部２０５のパネルの詳細を示す。
図３において、電源スイッチ２０５１は電源のオン／オフスイッチであり、電源部パイロットランプ２０５２は電源がオンのとき点灯するランプ（ＬＥＤ）であり、打ち止め有無スイッチ２０５３はメダルの払い出し枚数を制限する打ち止めを「有り」または「無し」に設定するスイッチである。打ち止め有無スイッチ２０５３は通常「無し」に設定されていて、頻繁に使用されることはない。設定キースイッチ２０５４は設定変更を有効とするためのスイッチであり、設定変更／リセットスイッチ２０５５は設定値を変更したり、装置をリセットするためのスイッチであり、ＡＣ１００Ｖパイロットランプ２０５６は筐体の電源であるＡＣ１００Ｖが供給されていることを示すランプであり、ＡＣ電源出力及び電源ケーブル２０５７は電源を供給するためのものである。
【００２８】
図４は発明の実施の形態に係るスロットマシンの機能ブロック図を示す。
この図において電源系統についての表示は省略されている。スロットマシン１００は、その主要な処理装置としてメイン基板１０とこれからコマンドを受けて動作するサブ基板２０とを備える。なお、少なくともメイン基板１０は、外部から接触不能となるようにケース内部に収容され、これら基板を取り外す際に痕跡が残るように封印処理が施されている。
【００２９】
メイン基板１０は、遊技者の操作を受けて内部抽選を行ったり、リールの回転・停止やメダルの払い出しなどの処理を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００３０】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。
【００３１】
メイン基板１０にはスタートスイッチ１３４，ストップスイッチ１４０，リールユニット（リール駆動装置を含む）７０，リール位置検出回路７１、ホッパ駆動部８０、ホッパ８１及びホッパ８１から払い出されたメダルの枚数を数えるためのメダル検出部８２（これらは前述のホッパ装置１２１を構成する）が接続されている。サブ基板２０には液晶表示装置を制御する液晶制御基板２００、スピーカ基板２０１、ＬＥＤ基板２０２などの周辺基板（ローカル基板）が接続されている。
【００３２】
上述のように、メイン基板１０及びサブ基板２０は、ＣＰＵを中心に構成され、ＲＯＭ、ＲＡＭ、Ｉ／Ｏ等を備えている。そして、ＣＰＵ（処理部）が遊技者の操作を受けてＲＯＭ（記憶部）に記憶されたプログラムを読み込むことで所定の動作を行う。具体的には、スタートスイッチ１３４及びストップスイッチ１４０の操作に基づきリールユニット７０に内蔵される３つの回転リールの回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、本スロットマシンにおいてはその一部又は全部についてバッテリなどのバックアップ電源が用意されており、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００３３】
スロットマシンで遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リールの斜め下方に位置するものであって、メダルの投入を条件に、リールユニット７０の駆動を開始させる。リールユニット７０は、ストップスイッチ１４０によりその駆動が停止される。リールユニット７０は、三個の回転リールから構成されている。そして、各回転リールは、合成樹脂等からなる回転ドラムと、この回転ドラムの周囲に貼付されるテープ状のリールテープとを備えている。このリールテープの外周面には、複数個（例えば２１個）の図柄が表示されている。
【００３４】
本発明の実施の形態１に係る電源部２０５、メイン基板１０及びサブ基板２０の接続図を図５に示す。同図は、本発明の実施の形態１の動作を説明するために必要な部分のみを示し、それ以外の部品やアドレス信号やデータ信号などの表示を省略している。
【００３５】
３０は、電源部２０５に設けられた常時監視部である。常時監視部３０は、監視結果を記憶する記憶部３０ａと、電流ループＬＯＯＰを監視する電流監視部３０ｂを備えている。電流ループＬＯＯＰは、電流監視部３０ｂを出て、電源部２０５とメイン基板１０を接続するワイヤハーネスＷＨ１、メイン基板１０とサブ基板２０を接続するワイヤハーネスＷＨ３、メイン基板１０においてワイヤハーネスＷＨ１とＷＨ３を接続する配線１０−１，１０−２及びサブ基板２０においてワイヤハーネスＷＨ３の２つの端子を短絡する配線２０−１を通って再び電流監視部３０ｂに戻る経路である（図５の矢印参照）。
【００３６】
ワイヤハーネスＷＨ１は、電源部２０５とメイン基板１０を接続するものであり、これには電源スイッチ２０５１からの電源ＶＤＤとともに、上記電流ループＬＯＯＰが含まれる。ワイヤハーネスＷＨ２は、電源部２０５とサブ基板２０を接続するものであり、図５の例では、これには電源スイッチ２０５１からの電源ＶＤＤのみが含まれる。ワイヤハーネスＷＨ３は、メイン基板１０とサブ基板２０を接続するものであり、これには図示しない信号線が含まれるとともに、上記電源ループＬＯＯＰが含まれる。
【００３７】
常時監視部３０は、電流を監視する回路（具体例は後述）とともに、ＣＰＵ、プログラムを記憶するＲＯＭ、ＲＡＭなどにより実現される。監視結果を記憶するＲＡＭ（記憶部３０ａ）は、停電中もその内容が失われないように、バッテリによるバックアップがされるか、フラッシュメモリのような不揮発性記憶素子であることが望ましい。常時監視部３０は、リレーなどの機械的作動部を持つ要素で構成することもできる（具体例は後述）。
【００３８】
電源部２０５は、さらに、前述の電源スイッチ２０５１と、ＡＣ１００Ｖの電力を＋５Ｖなどの直流電力に変換する電源装置ＰＳと、常時監視部３０の出力をＡＣ１００Ｖの電源線を通じて外部へ出力するための電力線搬送通信装置ＣＯＭとを備える。常時監視部３０の出力は、サブ基板２０へ送られて電源投入時にエラー報知を行ったり、図示しない集中端子板を経由して図示しないホールコンピュータへ出力するようにしてもよい。さらに、常時監視部３０の出力に基づき電源装置ＰＳを制御して、常時監視部３０の記憶部３０ａに電流ループが切れたことを示す情報（フラグ）がセットされていたときに、電源装置ＰＳを停止させ、電源スイッチ２０５１をオンしてもスロットマシンが動作しないようにしてもよい。電源装置ＰＳには、出力を停止するための制御信号を受ける端子が設けられることも多い。
【００３９】
電力線搬送通信装置ＣＯＭは公知の装置であり、電力と通信用信号の重ね合わせや分離を行う装置である。電力線搬送通信(PLC：Power Line Communications)とは、電力線を通信回線として利用する技術である。一般には、電気のコンセントに通信用のアダプタ(PLCモデム)を設置してパソコンなどをつなぐことにより、数Mbps〜数百Mbpsのデータ通信が可能と言われている。ほとんどの建物には電気配線が張り巡らされているため、新たにケーブルなどを敷設することなく手軽に構内通信網を構築できる。新たに通信線を設ける必要がなく、本発明の実施の形態を実現する際に費用を低減でき、有利である。本発明の実施の形態では最低で１ビットのエラー信号を送信するだけで済むので、高い通信速度は不要であり、その実現は容易である。
【００４０】
電源部２０５はマスター電源スイッチＭＳＷを経由してＡＣ１００Ｖを受ける。電源スイッチ２０５１は、メイン基板１０及びサブ基板２０への電源のオンオフを行うが、常時監視装置３０は、電源スイッチ２０５１を経由せずに電力の供給を受けるので、マスター電源スイッチＭＳＷがオンである限り常に電力の供給を受け、動作している。スロットマシンの電源オフ時を含む「常時」動作させるために、発明の実施の形態では常時監視装置３０を電源部２０５に設けている。
【００４１】
電流監視部３０ｂは、電流ループＬＯＯＰに微弱な電流を流すとともに、この電流の状態を監視している。電流が流れなくなったとき、すなわち電流ループＬＯＯＰが切れたことを検知すると、その旨の情報（フラグ）を記憶部３０ａに記憶する。常時監視部３０は、通常の電源スイッチ２０５１とは別に設けたマスター電源スイッチＭＳＷがオンの場合には常に動作している。マスター電源スイッチＭＳＷは不正に操作されにくいように、外部から手の届きにくい筐体内部に設置することが望ましい。
【００４２】
発明の実施の形態１に係るスロットマシンでは、電源部２０５よりハーネスＷＨ１、ＷＨ２を経由してメイン基板１０、サブ基板２０に対して電源を供給している。このハーネスＷＨ１に不正検知用の目的のために前述の電流ループＬＯＯＰ用の信号も含ませている。
【００４３】
監視対象となっている基板やハーネス、すなわち電流ループＬＯＯＰを形成する複数の構成要素のうちのいずれかが外された場合、電流ループＬＯＯＰが切断される。これを電流監視部３０ｂが検知し、そのことを記憶部３０ａに記憶させる。記憶された情報を外部へ出力し、また当該情報に基づきエラーを報知することで、不正行為を検知し報知することができる。メイン基板１０やワイヤハーネスＷＨ１，ＷＨ３を外すことは通常はありえないので、電流ループＬＯＯＰを切ることを不正行為と判定してよい。基板の故障などでメイン基板１０やワイヤハーネスＷＨ１，ＷＨ２を外すことがないわけではないが、このような場合はマスター電源スイッチＭＳＷをオフにすることでエラーをリセットできるように構成すれば問題はない。
【００４４】
常時監視部３０で不正行為を検知したときに、電源スイッチ２０５１をオンしても電源が投入できなくなるようにしてもよい。あるいは、大きな音などで報知を行ったりすることが考えられる。
【００４５】
図５は、電流ループＬＯＯＰを、電源部２０５、ワイヤハーネスＷＨ１、メイン基板１０、ワイヤハーネスＷＨ３、サブ基板２０の間で形成するものであった。本発明はこれに限定されない。発明の実施の形態１に係る他の構成を図６乃至図８に示す。
図６に示すように、電源部２０５、ワイヤハーネスＷＨ２、サブ基板２０、ワイヤハーネスＷＨ３、メイン基板１０の間で電流ループＬＯＯＰを形成するようにしてもよい。図５及び図６の構成では、メイン基板１０、サブ基板２０、ワイヤハーネスＷＨ３（又はＷＨ１）のいずれかが外されたことを常時監視部３０で検知することができる。
【００４６】
図７に示すように、電源部２０５、ワイヤハーネスＷＨ１、メイン基板１０の間で電流ループＬＯＯＰを形成するようにしてもよい。この構成によれば、主にメイン基板１０の交換を検知することができる。
【００４７】
図８に示すように、電源部２０５、ワイヤハーネスＷＨ２、サブ基板２０の間で電流ループＬＯＯＰを形成するようにしてもよい。この構成によれば、主にサブ基板２０の交換を検知することができる。
【００４８】
図９のフローチャートを参照して、常時監視部３０の処理を説明する。
まず、電流監視部３０ｂから電流ＬＯＯＰに電流を流す。これは交流直流どちらでもよい。電流監視部３０ｂで電流ループＬＯＯＰに電流が流れているかどうか監視する（Ｓ１０）。電流が流れているとき（Ｓ１１でＹＥＳ）、図５の例で言えば、電源部２０５、ワイヤハーネスＷＨ１、メイン基板１０、ワイヤハーネスＷＨ３、サブ基板２０の間で電流ループＬＯＯＰが形成されており、接続の外されている個所がない正常な状態を意味する。そこでＳ１０に戻り監視を継続する。
【００４９】
電流が流れなくなったとき（Ｓ１１でＮＯ）、上記電流ループＬＯＯＰが切れ、図５の例で言えば、電源部２０５、ワイヤハーネスＷＨ１、メイン基板１０、ワイヤハーネスＷＨ３、サブ基板２０のいずれかが外されたことを意味する。これは不正行為の可能性があるので、次のステップ（Ｓ１２）で記憶部３０ａにその旨を記録する（エラーフラグをセットする）。Ｓ１２の処理後は、図９の処理を終了する。一度、電流ループＬＯＯＰが切れたことを検知すると、たとえその後電流ループが復旧してもその記録はマスター電源スイッチＭＳＷをオフにするまで保持される。マスター電源スイッチＭＳＷをオフにすることで、常時監視部３０がリセットされたら、図９の処理を再び開始する。
【００５０】
なお、図９の処理は、プログラムで実行させるために好適なフローチャートであるが、機械式のリレーによっても実現することができる（詳細は後述）。
【００５１】
図１０のフローチャートを参照して、スロットマシンの電源投入時の処理を説明する。
電源スイッチ２０５１をオンにすると、メイン基板１０及びサブ基板２０に電力が供給され、それらに搭載されているＣＰＵが動作を開始する。また、常時監視部３０が電源スイッチ２０５１をオンにしたことを検知する。メイン基板１０やサブ基板２０、常時監視部３０のＣＰＵは、通常の初期動作を実行した後に、記憶部３０ａの内容を読み出す（Ｓ２０）。
【００５２】
エラーフラグがセットされているかどうか判定し（Ｓ２１）、セットされていなければ（Ｓ２１でＮＯ）、通常の起動処理を実行する（Ｓ２２）。スロットマシンは、遊技可能な状態となる。エラーフラグがセットされている場合は（Ｓ２１でＹＥＳ）、エラー処理を実行する（Ｓ２３）。例えば、メイン基板１０のＣＰＵでエラーフラグを読み出したときは、遊技の受け付けを停止する。サブ基板２０のＣＰＵで読み出したときは、液晶制御基板２００により図示しない液晶表示装置に「メイン基板又はハーネスが交換されました」等のメッセージを表示したり、スピーカ基板２０１により警報音を発生したり、ＬＥＤ基板２０２により図示しないアーチランプやリールのバックライト、その他のランプ・ＬＥＤ・照明装置を点滅等させる。また、常時監視装置３０は、エラー信号を電力線搬送通信装置ＣＯＭを使って外部へ送信し、集中端子板を経由して図示しないホールコンピュータへ送り、又は電源装置ＰＳへ制御信号を送り、電源の供給を停止させる。
【００５３】
上記処理により、制御基板又はワイヤハーネスが外されたと判定されたとき、音や光などの人間が感知できるような方法でエラー報知を行ったり、エラー信号を外部へ出力したり、遊技を停止させるので、制御基板又はワイヤハーネスの取り外しを伴う不正行為を抑止することができる。
【００５４】
図１１（ａ）は、発明の実施の形態に係る電流監視部３０ｂの構成例を示し、図１１（ｂ）はその動作の説明図を示す。
【００５５】
電流監視部３０ｂは、直流電源（電池）３０ｂ−１と、直流電源３０ｂ−１に直列に接続される抵抗３０ｂ−２と、抵抗３０ｂ−２の両端の電位差を監視する装置（コンパレータ）３０ｂ−３とを備える。直流電源３０ｂ−１と抵抗３０ｂ−２にはそれぞれ電流ループＬＯＯＰが接続される。これらは閉回路を構成し、電池３０ｂ−１の電流は抵抗３０ｂ−２と電流ループＬＯＯＰを通って流れる。図５の例で言えば、電源部２０５、ワイヤハーネスＷＨ１、メイン基板１０、ワイヤハーネスＷＨ３、サブ基板２０のいずれかが外されると、電流が流れなくなる。
【００５６】
コンパレータ３０ｂ−３は抵抗３０ｂ−２の両端の電位差が予め定められた閾値よりも大きいとき、例えばデジタルの高レベルの信号を出力し、そうでないときは低レベルの信号を出力する（図１１（ｂ））。閾値は、例えば直流電源３０ｂ−１の電圧の半分程度にしておく。正常な状態では抵抗３０ｂ−２及び電流ループＬＯＯＰを通って電流が流れるので、抵抗３０ｂ−２の両端には電位差が生じている（電流ループＬＯＯＰの抵抗及び直流電源３０ｂ−１の内部抵抗をゼロとすれば、当該電位差は直流電源３０ｂ−１の電圧程度）。したがって、コンパレータ３０ｂ−３は高レベルの信号を出力する。しかし、電源部２０５、ワイヤハーネスＷＨ１、メイン基板１０、ワイヤハーネスＷＨ３、サブ基板２０のいずれかが外されると電流ループＬＯＯＰが切れて電流が流れなくなり、抵抗３０ｂ−２の両端の電位差はゼロになるので、コンパレータ３０ｂ−３は低レベルの信号を出力する。コンパレータ３０ｂ−３の低レベルの出力が、電流監視部３０ｂの図示しないＣＰＵへ送られる。
【００５７】
図１２は、発明の実施の形態に係る常時監視部３０の構成例を示す。リレー３０ｂ−４は、電流ループＬＯＯＰが形成されて電流が流れているときに動作し、その接点ｘはオフである。リレー３０ｂ−５は接点ｘにより動作するもので、その接点ｚが出力（エラー信号）となる。電流ループＬＯＯＰが切れると、接点ｘはバネの力で戻りオンになる。これによりリレー３０ｂ−５が動作し、接点ｚがオンになり電流ループが切れたことを示す。電流ループＬＯＯＰが再び形成され電流が流れると、接点ｘは再びオフになるが、リレー３０ｂ−５の接点ｙがオンになっているのでリレー３０ｂ−５は動作したままである（自己保持機能）。リレー３０ｂ−５をリセットするには、マスター電源スイッチＭＳＷをオフにすればよい。図１２の回路は、常時監視部３０の記憶部３０ａと電流監視部３０ｂの両方を実現するものである。
【００５８】
発明の実施の形態２．
発明の実施の形態１は、例えば、電源部２０５、ワイヤハーネスＷＨ１、メイン基板１０、ワイヤハーネスＷＨ３、サブ基板２０により形成される電流ループＬＯＯＰを監視することで不正行為を検知するものであるが、万一、マスター電源スイッチＭＳＷがオフにされると不正行為を検知することができない。
【００５９】
図１３は、マスター電源スイッチＭＳＷがオフにされたことを検知し報知できるようにしたものである。常時監視部３０に設けられた電圧監視部３０ｃによりマスター電源スイッチＭＳＷ及び／又は電源装置ＰＳの一次側電源電圧（ＡＣ１００Ｖ）を監視する。マスター電源スイッチＭＳＷがオフにされたとき、又は一次側電源電圧が低下したとき、その旨を報知する。マスター電源スイッチＭＳＷは通常オフにされないものであり、これがオフにされたということは不正行為の可能性がある。記憶部３０ａは不揮発性メモリ又はバッテリでバックアップされたメモリであるので、マスター電源スイッチＭＳＷがオフの期間中もエラーフラグを保持することができる。なお、電圧監視部３０ｃがエラーフラグを書き込むことができるように、マスター電源スイッチＭＳＷがオフになってから一定時間動作可能な電力を供給するバックアップ電源を常時監視部３０に備えることが好ましい。
【００６０】
図１４のフローチャートを参照して、電圧監視部３０ｃの処理を説明する。
電圧監視部３０ｃで電源装置ＰＳの入力電圧を監視する（Ｓ３０）。電圧が規定値であるとき（Ｓ３１でＹＥＳ）、マスター電源スイッチＭＳＷがオンであり、正常な状態を意味する。そこでＳ３０に戻り監視を継続する。
【００６１】
電圧が低下したとき（Ｓ３１でＮＯ）、マスター電源スイッチＭＳＷがオフにされたことを意味する。これは不正行為の可能性があるので、次のステップ（Ｓ３２）で記憶部３０ａにその旨を記録する（エラーフラグをセットする）。Ｓ３２の処理後は、図１４の処理を終了する。その記録は次回の電源投入時にエラー報知するまで保持される。なお、Ｓ３０、Ｓ３１でマスター電源スイッチＭＳＷのオンオフの状態を直接監視するようにしてもよい。
電源投入時の処理は、発明の実施の形態１の場合と同じなので、その説明は省略する。
【００６２】
マスター電源スイッチＭＳＷを監視することにより、例えば通常ありえない時間帯（深夜）にマスター電源スイッチＭＳＷを切ったとか、ＡＣ１００Ｖのケーブルが抜けたことも検知でき、このようなときも不正行為として扱うことができる。
【００６３】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００６４】
【図１】前扉を閉めた状態を示すスロットマシンの正面図である。
【図２】前扉を１８０度開いた状態を示すスロットマシンの正面図である。
【図３】スロットマシンの電源部の正面図である。
【図４】スロットマシンのブロック図である。
【図５】発明の実施の形態１に係るスロットマシンの電流ループの説明図である。
【図６】発明の実施の形態１に係る他のスロットマシンの電流ループの説明図である。
【図７】発明の実施の形態１に係る他のスロットマシンの電流ループの説明図である。
【図８】発明の実施の形態１に係る他のスロットマシンの電流ループの説明図である。
【図９】発明の実施の形態１に係る常時監視部の処理フローチャートである。
【図１０】発明の実施の形態に係るスロットマシンの電源投入時の処理フローチャートである。
【図１１】発明の実施の形態に係る電流監視部の回路の説明図である。
【図１２】発明の実施の形態に係る電流監視部及び記憶部の回路の説明図である。
【図１３】発明の実施の形態２に係るスロットマシンの電流ループの説明図である。
【図１４】発明の実施の形態２に係る常時監視部の処理フローチャートである。
【符号の説明】
【００６５】
１    メダルセレクタ
１０    メイン基板
１０−１乃至１０−３  電流ループの配線
２０    サブ基板
２０−１乃至２０−３  電流ループの配線
３０    常時監視部
３０ａ  記憶部
３０ｂ  電流監視部
３０ｂ−１  直流電源
３０ｂ−２  抵抗
３０ｂ−３  コンパレータ
３０ｂ−４、５  リレー
３０ｃ  電圧監視部
１００    スロットマシン
１２０    スロットマシン本体
１２１    ホッパ装置
１２２    ホッパタンク
１３０    前扉
１３１    ゲーム表示部
１３２    メダル投入口
１３３    リジェクトボタン
１３４    スタートスイッチ
１３５    払出し口
１３６    導出路
１４０    ストップスイッチ
２０５    電源部
ＣＯＭ  電力線搬送通信装置
ＬＯＯＰ  電流ループ
ＭＳＷ  マスター電源スイッチ（主電源スイッチ）
ＰＳ    電源装置
ＶＤＤ  直流電源
ＷＨ１乃至ＷＨ３    第１乃至第３ワイヤハーネス
【図１】
2007236498.tif 000003
【図２】
2007236498.tif 000004
【図３】
2007236498.tif 000005
【図４】
2007236498.tif 000006
【図５】
2007236498.tif 000007
【図６】
2007236498.tif 000008
【図７】
2007236498.tif 000009
【図８】
2007236498.tif 000010
【図９】
2007236498.tif 000011
【図１０】
2007236498.tif 000012
【図１１】
2007236498.tif 000013
【図１２】
2007236498.tif 000014
【図１３】
2007236498.tif 000015
【図１４】
2007236498.tif 000016